(57)【要約】      （修正有）【課題】ピストン・シリンダ型のエアダンパーに関し、部品点数が少ない構成で、シリンダの内面に設けた凸状部ないし凹形部により、内圧をリリースすることができるようにしたものである。【解決手段】エアダンパー10は、シリンダ20の内周と接するシール部をピストンの外周に設けて、シリンダ20内に空気室を形成し、ピストンがシリンダ20内を一端と他端との間で相対的に移動し、空気室の空気を流動させ、制動を行うものである。シリンダ20は、一端が閉じ、当該シリンダ20の内面に、凸状部ないし凹形部を設けている。シリンダ20とピストン側との間には、ピストンの移動により、シール部を少なくとも回転させる回転機構を設けても良い。【選択図】図１
2011247366.tif 000002
【特許請求の範囲】
【請求項１】
シリンダの内周と接するシール部をピストンの外周に設けて、前記シリンダ内に空気室を形成し、前記ピストンが前記シリンダ内を一端と他端との間で相対的に移動し、前記空気室の空気を流動させ、制動を行うエアダンパーにおいて、
前記シリンダは、一端が閉じ、当該シリンダの内面に、凸状部ないし凹形部を設けたことを特徴とする、エアダンパー。
【請求項２】
前記シリンダと前記ピストン側との間には、
前記ピストンの移動により、前記シール部を少なくとも回転させる回転機構を設けたことを特徴とする、請求項１に記載のエアダンパー。
【請求項３】
前記回転機構は、
カム部材と、
当該カム部材に当接することで、前記ピストンに回転力を付与するための当接部とであることを特徴とする、請求項２に記載のエアダンパー。
【請求項４】
前記カム部材を前記ピストン側の外周に設け、
前記当接部を前記シリンダの内面に設けていることを特徴とする、請求項３に記載のエアダンパー。
【請求項５】
前記カム部材を前記シリンダの内面に設け、
前記当接部を前記ピストン側の外周に設けていることを特徴とする、請求項３に記載のエアダンパー。
【請求項６】
前記凸状部ないし凹形部の大きさを、前記ピストンの移動方向に沿って変化させていることを特徴とした、請求項１〜５のいずれか１項に記載のエアダンパー。
【発明の詳細な説明】
【技術分野】
【０００１】
この発明は、ピストン・シリンダ型のエアダンパーに関し、部品点数が少ない構成で、シリンダの内面に設けた凸状部ないし凹形部により、内圧をリリースすることができるようにしたものである。
【背景技術】
【０００２】
従来、ピストンにひれ状の弁体を設け、シリンダの底部に弁体が乗り上げ可能な突起を設けた緩衝装置が知られている（特許文献１の１頁右欄３１行〜２頁左欄１２行、図２、図３及び図５参照）。
また、従来、シリンダの底部に溝を設けたエアダンパーが知られている（特許文献２の段落番号「００３３」、図２、図４及び図９参照）。
【０００３】
上記した従来のエアダンパーは、シリンダの底部に溝を設けるため、シリンダの底部を開放させ、当該開放一端をキャップで閉塞している（特許文献２の段落番号「００２６」、図２、図３及び図４参照）。
【先行技術文献】
【特許文献】
【０００４】
【特許文献１】実公昭59-27558号公報
【特許文献２】特開平08-105482号公報
【発明の概要】
【発明が解決しようとする課題】
【０００５】
しかし、上記した従来の緩衝装置やエアダンパーは、シリンダの内圧をリリースすることが可能であるが、部品点数が多く、構造が複雑になるという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００６】
すなわち、請求項１に記載の発明は、部品点数が少ない構成で、シリンダの内面に設けた凸状部ないし凹形部により、内圧をリリースすることができるようにしたものである。
（請求項２）
請求項２に記載の発明は、上記した請求項１に記載の発明の目的に加え、次の点を目的とする。
【０００７】
すなわち、請求項２に記載の発明は、ピストンの移動により、そのシール部を少なくとも回転させる回転機構を設けることで、凸状部ないし凹形部によるピストンのシール部の偏摩耗を防止することができるようにしたものである。
すなわち、凸状部ないし凹形部、特に凸状部と、シール部とが、円周上の同じ位置で常に当たると、その部分が偏摩耗するおそれがあった。これに対し、請求項１に記載の発明によれば、シール部を回転させることで、シール部の円周方向の異なる位置が、凸状部ないし凹形部に当たるようにしたものである。
（請求項３）
請求項３に記載の発明は、上記した請求項２に記載の発明の目的に加え、次の点を目的とする。
【０００８】
すなわち、請求項３に記載の発明は、回転機構を、カム部材と、これに当接する当接部とから構成することができるようにしたものである。
（請求項４）
請求項４に記載の発明は、上記した請求項３に記載の発明の目的に加え、次の点を目的とする。
【０００９】
すなわち、請求項４に記載の発明は、カム部材をピストン側に、当接部をシリンダ側にそれぞれ設けることができるようにしたものである。
（請求項５）
請求項５に記載の発明は、上記した請求項３に記載の発明の目的に加え、次の点を目的とする。
【００１０】
すなわち、請求項５に記載の発明は、請求項４に記載の発明とは逆に、カム部材をシリンダ側に、当接部をピストン側にそれぞれ設けることができるようにしたものである。
（請求項６）
請求項６に記載の発明は、上記した請求項１〜５のいずれか１項に記載の発明の目的に加え、次の点を目的とする。
【００１１】
すなわち、請求項６に記載の発明は、内圧のリリースを徐序に行えることで、制動力を徐々に低下させることができるようにしたものである。
【課題を解決するための手段】
【００１２】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１３】
第１に、エアダンパー(10)は、例えば図２に示すように、シリンダ(20)の内周と接するシール部(31)をピストン(30)の外周に設けて、シリンダ(20)内に空気室(23)を形成し、ピストン(30)がシリンダ(20)内を一端と他端との間で相対的に移動し、空気室(23)の空気を流動させ、制動を行うものである。
第２に、シリンダ(20)は、例えば図４、図５及び図８に示すように、一端が閉じ、当該シリンダ(20)の内面に、凸状部ないし凹形部（例えば凸状部24,25）を設けている。
（請求項２）
請求項２に記載の発明は、上記した請求項１に記載の発明の特徴点に加え、次の点を特徴とする。
【００１４】
すなわち、シリンダ(20)とピストン(30)側との間には、例えば図１及び図２０〜２６に示すように、ピストン(30)の移動により、シール部(31)を少なくとも回転させる回転機構(70)を設けた。
（請求項３）
請求項３に記載の発明は、上記した請求項２に記載の発明の特徴点に加え、次の点を特徴とする。
【００１５】
すなわち、回転機構(70)は、例えば図１及び図２０〜２６に示すように、カム部材(80)と、当該カム部材(80)に当接することで、ピストン(30)に回転力を付与するための当接部(90,100)とである。
（請求項４）
請求項４に記載の発明は、上記した請求項３に記載の発明の特徴点に加え、次の点を特徴とする。
【００１６】
第１に、カム部材(80)を、例えば図１及び図２０〜２６に示すように、ピストン(30)側の外周に設けている。
第２に、当接部(90,100)をシリンダ(20)の内面に設けている。
（請求項５）
請求項５に記載の発明は、上記した請求項３に記載の発明の特徴点に加え、次の点を特徴とする。
【００１７】
第１に、カム部材(210)を、例えば図２７に示すように、シリンダ(20)の内面に設け、
第２に、当接部(220)をピストン(30)側の外周に設けている。
（請求項６）
請求項６に記載の発明は、上記した請求項１〜５のいずれか１項に記載の発明の特徴点に加え、次の点を特徴とする。
【００１８】
すなわち、凸状部ないし凹形部（例えば凸状部344,345）の大きさを、例えば図３３及び図３４に示すように、ピストン（図示せず）の移動方向に沿って変化させている。
【発明の効果】
【００１９】
本発明は、以上のように構成されているので、以下に記載されるような効果を奏する。
（請求項１）
請求項１に記載の発明によれば、次のような効果を奏する。
すなわち、請求項１に記載の発明によれば、部品点数が少ない構成で、シリンダの内面に設けた凸状部ないし凹形部により、内圧をリリースすることができる。
（請求項２）
請求項２に記載の発明によれば、上記した請求項１に記載の発明の効果に加え、次のような効果を奏する。
【００２０】
すなわち、請求項２に記載の発明によれば、ピストンの移動により、そのシール部を少なくとも回転させる回転機構を設けることで、凸状部ないし凹形部によるピストンのシール部の偏摩耗を防止することができる。
（請求項３）
請求項３に記載の発明によれば、上記した請求項２に記載の発明の効果に加え、次のような効果を奏する。
【００２１】
すなわち、請求項３に記載の発明によれば、回転機構を、カム部材と、これに当接する当接部とから構成することができる。
（請求項４）
請求項４に記載の発明によれば、上記した請求項３に記載の発明の効果に加え、次のような効果を奏する。
【００２２】
すなわち、請求項４に記載の発明によれば、カム部材をピストン側に、当接部をシリンダ側にそれぞれ設けることができる。
（請求項５）
請求項５に記載の発明によれば、上記した請求項３に記載の発明の効果に加え、次のような効果を奏する。
【００２３】
すなわち、請求項５に記載の発明によれば、請求項４に記載の発明とは逆に、カム部材をシリンダ側に、当接部をピストン側にそれぞれ設けることができる。
（請求項６）
請求項６に記載の発明によれば、上記した請求項１〜５のいずれか１項に記載の発明の効果に加え、次のような効果を奏する。
【００２４】
すなわち、請求項６に記載の発明によれば、内圧のリリースを徐序に行えることで、制動力を徐々に低下させることができる。
【図面の簡単な説明】
【００２５】
【図１】エアダンパーの一部を断面にした斜視図である。
【図２】エアダンパーの断面図である。
【図３】エアダンパーの側面図である。
【図４】シリンダの断面図である。
【図５】シリンダの側面図である。
【図６】図４のＡ−Ａ線に沿う断面図である。
【図７】図４のＢの部分の拡大図である。
【図８】図５のＣの部分の拡大図である。
【図９】図６のＤの部分の拡大図である。
【図１０】ピストンの一半を断面にした正面図である。
【図１１】ピストンの図１０において左側面図である。
【図１２】ピストンの図１０において右側面図である。
【図１３】図１１のＥ−Ｅ線に沿う断面図である。
【図１４】ピストンロッドの正面図である。
【図１５】ピストンロッドの側面図である。
【図１６】ロック部材の断面図である。
【図１７】ロック部材の側面図である。
【図１８】シールキャップの断面図である。
【図１９】シールキャップの側面図である。
【図２０】図２０〜２６はカム部材と第１、第２当接部との係合状態を説明するための説明図であり、同図は、ピストンロッドの押し込み状態を示す説明図である。
【図２１】図２０に連続する説明図である。
【図２２】図２１に連続する説明図である。
【図２３】図２２に連続し、ピストンロッドの引き出し状態を示す説明図である。
【図２４】図２３に連続する説明図である。
【図２５】図２４に連続する説明図である。
【図２６】図２１に連続し、ピストンロッドの押し込み状態を示す説明図である。
【図２７】本発明の第２の実施の形態を示し、同図はカム部材と当接部との係合状態を説明するための説明図である。
【図２８】本発明の第３の実施の形態を示し、シリンダを断面にした斜視図である。
【図２９】本発明の第３の実施の形態を示し、シリンダの断面図である。
【図３０】本発明の第４の実施の形態を示し、シリンダを断面にした斜視図である。
【図３１】本発明の第５の実施の形態を示し、シリンダを断面にした斜視図である。
【図３２】本発明の第６の実施の形態を示し、シリンダを断面にした斜視図である。
【図３３】本発明の第７の実施の形態を示し、シリンダの一部斜視図である。
【図３４】本発明の第７の実施の形態を示し、シリンダの断面図である。
【図３５】本発明の第７の実施の形態を示し、シリンダの側面図である。
【図３６】図３４のＦ−Ｆ線に沿う断面図である。
【図３７】図３５のＧの部分の拡大図である。
【図３８】図３６のＧの部分の拡大図である。
【図３９】図３４のＩ−Ｉ線に沿う断面図である。
【図４０】図３４のＪ−Ｊ線に沿う断面図である。
【発明を実施するための形態】
【００２６】
（エアダンパー10）
図２中、10は、エアダンパーであって、当該エアダンパー10は空気を利用したピストンシリンダ型のものである。
なお、エアダンパー10の内部に、ピストン30の往復動の一方のみ制動力が働く、いわゆるワンウェイ機構を内蔵しても良い。
【００２７】
エアダンパー10は、図示しないが、例えばシステムキッチンの引き出しや事務用の引き出し等の各種の引き出し、或いは住宅用の開き戸や引き戸の各種の扉に使用し、引き出した扉が勢い良く閉じたり、開いたりするのを防止する。
なお、エアダンパー10の使用部位として、引き出しや扉を例示したが、これに限定されず、家具、家電製品、事務機等の扉や蓋、住宅用の引き戸や開き戸以外の扉や窓枠、自動車、列車、飛行機、船等の乗り物の扉や窓、或いは乗り物内の小物入れ等の扉や蓋等に使用しても良い。
【００２８】
具体的には、エアダンパー10には、図２に示すように、大別すると、次のパーツを備える。
なお、次の（１）〜（６）については、後述する。
（１）シリンダ20
（２）ピストン30
（３）ピストンロッド40
（４）ロック部材50
（５）シールキャップ60
（６）回転機構70
なお、エアダンパー10のパーツは、上記した（１）〜（６）に限定されず、例えば回転機構70を省いても良い。
（シリンダ20）
シリンダ20は、図２及び図４〜９に示すように、一端部が開口し、他端部が閉じた円筒形に形成されている。シリンダ20は、適度な剛性を有する合成樹脂、例えばＰＯＭ（ポリアセタール）により一体的に形成されている。
【００２９】
すなわち、シリンダ20の一端部には、図４に示すように、開口した開口部21を、他端部には底壁22をそれぞれ有する。
シリンダ20の内部には、図２に示すように、中空な空気室23を有する。
空気室23には、図８に示すように、シリンダ20の内周面から断面半円形に突出する凸状部24,25を設けている。
【００３０】
凸状部24,25は、シリンダ20の内周の直径方向に相対向して２個形成され、断面形状を互いに異ならせている。すなわち、２個の凸状部24,25のうち、図８において左側に位置する第１凸状部24は、同図の右側に位置する第２凸状部25に比較して、半円形の断面の半径を小さく設定し、シリンダ20の内周方向の幅を狭く設定している。これに対し、第２凸状部25の半円形の断面の半径を比較的、大きく設定することで、シリンダ20の内周方向の幅を広く設定し、シリンダ20の内周面から比較的緩やかに上り傾斜させている。
【００３１】
また、凸状部24,25は、後述するピストンロッド40の軸方向に延び、図４に示すように、シリンダ20の長さのほぼ中央から開口部21の直前迄、延びている。
なお、凸状部24,25を、断面半円形に突出させたが、断面形状は半円形に限定されない。また、凸状部24,25を、２個形成しているが、これに限定されず、単数、或いは３個以上形成しても良い。さらに、２個の凸状部24,25の断面形状を異ならせたが、これに限定されず、同じ断面形状としても良いし、或いは図示しないが、凸状部と凹形部とを組み合わせて形成しても良い。また、凸状部24,25のシリンダ20の内周方向の位置や、シリンダ20の全長方向の位置や長さも、図面に示したものに限定されない。
（ピストン30）
ピストン30は、図２及び図１０〜１３に示すように、シリンダ20内に往復動可能に収納されて、シリンダ20の内周と接するシール部31をピストン30の外周に設けけている。ピストン30は、適度な弾性を有する軟質樹脂、例えばＥＰＤＭ等の合成ゴムにより一体的に形成されている。
【００３２】
ピストン30は、シリンダ20内を一端（開口部21）と他端（底壁22）との間で相対的に移動し、空気室23の空気を流動させ、制動を行うものである。
（ピストンロッド40）
ピストンロッド40は、図２、図１４及び図１５に示すように、一端部がピストン30に連結され、他端部がシリンダ20の開口部21、すなわち後述するシールキャップ60を貫通して外側に延びている。ピストンロッド40は、シリンダ20と同様に、適度な剛性を有する合成樹脂、例えばＰＯＭにより一体的に形成されている。
（ロック部材50）
ロック部材50は、図２、図１６及び図１７に示すように、ピストン30の内周と、ピストンロッド40の一端部の外周との間に位置し、ピストン30をピストンロッド40の一端部に回転不能に固定するためのものである。ロック部材50は、シリンダ20やピストンロッド40同様に、適度な弾性と剛性とを有する合成樹脂、例えばＰＯＭにより一体的に形成されている。
（シールキャップ60）
シールキャップ60は、図２、図１８及び図１９に示すように、シリンダ20の開口部21をシールするものであり、当該開口部21に固定される。シールキャップ60は、ピストン30と同様に、適度な弾性を有する軟質樹脂、例えばＥＰＤＭ等の合成ゴムにより一体的に形成されている。
（回転機構70）
回転機構70は、図２及び図２０〜２６に示すように、シリンダ20と、ピストン30側、すなわちピストンロッド40との間に位置し、ピストン30の移動により、シール部31を少なくとも回転させるものである。
【００３３】
具体的には、回転機構70には、図２及び図２０〜２６に示すように、次の各部を備える。
なお、次の（１）〜（３）については、後述する。
（１）カム部材80
（２）第１当接部90
（３）第２当接部100
なお、回転機構70の各部は、上記した（１）〜（３）に限定されない。
（カム部材80）
カム部材80は、図２及び図２０〜２６に示すように、ピストンロッド40の一端部、すなわちシリンダ20の底壁22側に位置する一端部に設けられ、当該一端部の外周から放射状に複数個、例えば４５度間隔で計８個突出している。
【００３４】
なお、カム部材80を、ピストンロッド40に設けたが、これに限定されず、ピストン30或いはロック部材50に設けても良い。また、カム部材80をピストン30に設けた場合には、図示しないが、ピストン30或いはそのシール部31を、ピストンロッド40に対して回転可能に構成しても良い。
なお、カム部材80の個数として、８個を例示したが、これに限定されず、２〜７個、或いは９個以上としても良い。
【００３５】
具体的には、各カム部材80は、平面が略台形形に形成され、シリンダ20の底壁22側に向かって、ピストンロッド40の軸方向に対して斜めに傾斜した第１カム面81と、シリンダ20の開口部21側に向かって、ピストンロッド40の軸方向に対して斜めに傾斜した第２カム面82とを備える。
なお、各カム部材80を、略台形形に形成したが、これに限定されず、又、カム面81,82の個数も、２個に限定されず、単数或いは３個以上としても良い。
（第１当接部90）
第１当接部90は、図２及び図２０〜２６に示すように、シリンダ20の底壁22に形成され、カム部材80の第１カム面81に当接する複数個、例えばカム部材80と同数の計８個の歯部91を備えている。
【００３６】
なお、歯部91の個数として、８個を例示したが、これに限定されず、２〜７個、或いは９個以上としても良いし、又、カム部材80と個数を異ならせても良い。
各歯部91には、平面が略直角三角形形に形成され、カム部材80の第１カム面81と同方向に傾斜した斜面92を形成している。
（第２当接部100）
第２当接部100は、図２及び図２０〜２６に示すように、カム部材80の第２カム面82と当接するものであり、シリンダ20の内周面から断面半円形に突出し、放射状に複数個、例えばカム部材80と同数の計８個設けられている。
【００３７】
なお、第２当接部100の個数として、８個を例示したが、これに限定されず、２〜７個、或いは９個以上としても良いし、又、カム部材80と個数を異ならせても良い。
（エアダンパー10の動作の説明）
つぎに、上記した構成を備えたエアダンパー10の動作について説明する。
まず、図２に示すように、短縮したピストンロッド40を引き出すと、シリンダ20の空気室23の空気が、ピストン30をはさんで開口部21側（シリンダトップ側）から底壁22側（シリンダボトム側）に流動し、この際に制動力が働く。
【００３８】
すなわち、空気は、シリンダ20の内周と、ピストン30のシール部31の外周との隙間を通って流通する。
さらに、ピストンロッド40が引き出されると、ピストン30がシリンダ20の内周面から突出する凸状部24,25に達し、凸状部24,25に押されてピストン30のシール部31が弾性的に撓む。
【００３９】
このため、空気の流路面積が拡大され、ピストン30の底壁22側（シリンダボトム側）の空気室23の空気の内圧がリリースされる。
すなわち、本実施の形態のような、シール部31がゴム製のゴム変形式のピストン30においては、空気室23内の空気の内圧によるゴム変形による摩擦力が、ストロークに比例して増加する傾向にある。このため、ストロークの途中から、凸状部24,25によりピストン30のシール部31を押圧して変形させることで、空気室23の空気の内圧をリリースする構造を採用している。
【００４０】
その後、ピストンロッド40が更に引き出されると、ピストン30のシール部31は、シリンダ20の凸状部24,25に押圧された状態で、シリンダ20の開口部21側（シリンダトップ側）に向かって移動する。
一方、引き出された状態のピストンロッド40を押し込むと、ピストン30のシール部31は、シリンダ20の凸状部24,25に押圧された状態で、シリンダ20の底壁22側（シリンダボトム側）に向かって移動する。
【００４１】
このため、凸状部24,25にピストン30のシール部31を押圧して変形させることで、シール部31がシリンダ20の内周面に張り付くことが防止され、ピストンロッド40の初期の移動をスムーズに行うことができる。
その後、ピストンロッド40を更に押し込むと、凸状部24,25が途切れ、シリンダ20の空気室23の空気が、ピストン30をはさんで底壁22側（シリンダボトム側）から開口部21側（シリンダトップ側）に流動し、この際に制動力が働く。
（回転機構70の動作の説明）
つぎに、回転機構70の動作を、図２０〜２６を用いて説明する。
【００４２】
ピストンロッド40を押し込むと、図２０に示すように、そのカム部材80が、シリンダ20の底壁22（シリンダボトム）に位置する第１当接部90に向かって移動する。
その後、カム部材80と、図２１に示すように、第１当接部90の歯部91の１個、すなわち１番目の歯部91aとが当接する。このとき、カム部材80の第１カム面81と、歯部91aの斜面92とが当接する。
【００４３】
ピストンロッド40を更に押し込まれると、カム部材80が、図２２に示すように、歯部91aの斜面92に沿ってシリンダ20の底壁22（シリンダボトム）に滑り落ちるようにして、ピストンロッド40が一方向に回転する。
つぎに、ピストンロッド40が引き出されると、図２３に示すように、そのカム部材80が、シリンダ20の開口部21側（シリンダトップ側）に位置する突起状の第２当接部100に向かって移動し、両者が当接する。このとき、カム部材80の第２カム面82と、突起状の第２当接部100とが当接する。
【００４４】
ピストンロッド40を更に引き出されると、カム部材80の第２カム面82が、図２４及び図２５に示すように、突起状の第２当接部100に押され、ピストンロッド40が一方向に回転する。
一方、ピストンロッド40を次に押し込まれた際には、カム部材80が、図２６に示すように、１番目の歯部91aと隣接する２番目の歯部91bと当接する。
【００４５】
こうして、ピストンロッド40の移動に伴って、ピストンロッド40が一方向に回転し、この際にピストン30及びそのシール部31も一体的に回転する。このため、シリンダ20内でシール部31が回転することで、凸状部24,25との接触箇所がシール部31の円周方向に変化し、シール部31の偏摩耗を防止できる。
（図２７に示す第２の実施の形態）
つぎに、図２７を用いて、本発明の第２の実施の形態について説明する。
【００４６】
本実施の形態の特徴は、回転機構200の変形例を示すものであり、カム部材210をシリンダ20の底壁22に設け、カム部材210と当接する当接部220をピストンロッド40の一端部、すなわちシリンダ20の底壁22側に位置する一端部に設けた点である。
なお、カム部材210を、シリンダ20の底壁22に設けたが、シリンダ20の全長の長さの途中に、すなわちシリンダ20の内周面に設けても良い。
【００４７】
カム部材210は、シリンダ20の底壁22に位置し、その円周方向に複数個形成されたカム突起211を中心に、その周囲を取り囲むカム溝212から構成されている。カム溝212には、カム突起211の側面に沿って延びる一端部が開放した往復路213と、往復路213の他端部に連続し、カム突起211の先端部を通って隣接した往復路213に至る略Ｖ字形乃至はＵ字形に折れ曲がった一方向路214とから構成されている。
【００４８】
一方向路214は、図示しないが、往復路213との底の高低差を利用して、後述するトレースピン状の当接部220が一方向に進行し、後戻りできないようにしている。
当接部220は、トレースピン状に形成され、カム部材210のカム溝212に沿って移動し、その先端部がカム溝212の底に弾性的に当接するようにしている。
なお、本実施の形態の説明においては、先に図１〜２６を用いて説明した第１の実施の形態と同一の構成部分については、同一の符号を付し、説明を省略する。
【００４９】
一方、ピストンロッド40を押し込むと、そのピン状の当接部220が、カム溝212の往復路213の一個、すなわち１番目の往復路213aの開口した一端部から進入する。
ピストンロッド40を更に押し込むと、１番目の往復路213aの他端部から一方向路214に進行する。このとき、ピストンロッド40が一方向に回転する。
つぎに、ピストンロッド40を引き出すと、そのピン状の当接部220が、一方向路214から１番目の往復路213aに隣接した２番目の往復路213aに進行し、このとき、ピストンロッド40が一方向に回転する。
【００５０】
このため、ピストンロッド40の移動に伴って、ピストンロッド40が一方向に回転し、この際にピストン30及びそのシール部31も一体的に回転する。
（図２８及び図２９に示す第３の実施の形態）
図２８及び図２９を用いて、本発明の第３の実施の形態について説明する。
本実施の形態の特徴は、先に図１〜２６を用いて説明した第１の実施の形態の凸状部24,25に代えて、凹形部303,304を設けた点である。
【００５１】
凹形部303,304は、図２９に示すように、シリンダ300の内周面から断面半円形に凹んでいる。
凹形部303,304は、シリンダ300の内周の直径方向に相対向して２個形成され、断面形状を互いに異ならせている。すなわち、２個の凹形部303,304のうち、図２９において左側に位置する第１凹形部303は、同図の右側に位置する第２凹形部304に比較して、半円形の断面の半径を小さく設定し、シリンダ300の内周方向の幅を狭く設定している。これに対し、第２凹形部304の半円形の断面の半径を比較的、大きく設定することで、シリンダ300の内周方向の幅を広く設定し、シリンダ300の内周面から比較的緩やかに下り傾斜させている。
【００５２】
また、凹形部303,304は、図示しないが、ピストンロッドの軸方向に延び、例えばシリンダ300の長さのほぼ中央から開口部301の直前迄、延びている。また、図２８において、302は、シリンダ300の底壁を示している。
なお、凹形部303,304を、断面半円形に凹ませたが、断面形状は半円形に限定されない。また、凹形部303,304を、２個形成しているが、これに限定されず、単数、或いは３個以上形成しても良い。さらに、２個の凹形部303,304の断面形状を異ならせたが、これに限定されず、同じ断面形状としても良いし、或いは図示しないが、凸状部と凹形部とを組み合わせて形成しても良い。また、凹形部303,304のシリンダ300の内周方向の位置や、シリンダ300の全長方向の位置や長さも、図面に示したものに限定されない。
【００５３】
凹形部303,304の位置に、図示しないが、ピストンのシール部が位置すると、シリンダ20の空気が凹形部303,304を通って流動するため、空気の内圧をリリースできる。
（図３０に示す第４の実施の形態）
図３０を用いて、本発明の第４の実施の形態について説明する。
本実施の形態の特徴は、先に図２８及び図２９を用いて説明した第３の実施の形態の凹形部303,304の変形例を示し、凹形部313を、図３０に示すように、シリンダ310の開口部311の端面迄、延長した点である。
【００５４】
なお、図３０において、312は、シリンダ310の底壁を示している。また、凹形部313を、１個例示したが、これに限定されず、複数個として良い。
（図３１に示す第５の実施の形態）
図３１を用いて、本発明の第５の実施の形態について説明する。
本実施の形態の特徴は、先に図２８及び図２９を用いて説明した第３の実施の形態の凹形部303,304の変形例を示し、凹形部323を、図３１に示すように、シリンダ320の全長に渡って設けた点である。
【００５５】
すなわち、凹形部323は、シリンダ320の開口部321の端面から底壁322迄、延びている。
なお、凹形部323を、１個例示したが、これに限定されず、複数個として良い。
（図３２に示す第６の実施の形態）
図３２を用いて、本発明の第６の実施の形態について説明する。
本実施の形態の特徴は、先に図２８及び図２９を用いて説明した第３の実施の形態の凹形部303,304の変形例を示し、凹形部333を、図３２に示すように、シリンダ330の開口部331の直前から底壁332迄、設けた点である。
【００５６】
なお、凹形部333を、１個例示したが、これに限定されず、複数個として良い。
（図３３〜４０に示す第７の実施の形態）
つぎに、図３３〜４０を用いて、本発明の第７の実施の形態について説明する。
本実施の形態の特徴は、先に図１〜２６を用いて説明した第１の実施の形態の凸状部24,25の変形例を示し、凸状部344,345の大きさを、ピストン（図示せず）の移動方向に沿って変化させている点である。
【００５７】
なお、本実施の形態では、凸状部344,345を例示したが、これに限定されず、凸状部に変えて凹形部を設けたり、あるいは凸状部と凹形部とを組み合わせて設け、これらをピストン（図示せず）の移動方向に沿って変化させても良い。
具体的には、シリンダ340の一端部には、図３４及び図３６に示すように、開口した開口部341を、他端部には底壁342をそれぞれ有する。
【００５８】
シリンダ340の内部には、図３４及び図３６に示すように、中空な空気室343を有する。
空気室23には、図３３、図３４及び図３７に示すように、シリンダ340の内周面から断面半円形に突出する凸状部344,345を設けている。
凸状部344,345は、図３７、図３９及び図４０に示すように、シリンダ340の内周の直径方向に相対向して２個形成され、断面形状を互いに異ならせている。すなわち、２個の凸状部344,345のうち、図３７において左側に位置する第１凸状部344は、同図の右側に位置する第２凸状部345に比較して、半円形の断面の半径を小さく設定し、シリンダ340の内周方向の幅を狭く設定している。これに対し、第２凸状部345の半円形の断面の半径を比較的、大きく設定することで、シリンダ340の内周方向の幅を広く設定し、シリンダ340の内周面から比較的緩やかに上り傾斜させている。
【００５９】
また、凸状部24,25は、ピストン（図示せず）の移動方向に沿って延び、図３３及び図３４に示すように、シリンダ340の開口部341から長さのほぼ中央迄、延びている。
凸状部24,25は、それらの大きさを、図３３、図３４、図３９及び図４０に示すように、ピストン（図示せず）の移動方向に沿って変化させている。具体的には、凸状部24,25は、開口部341側から中央側に向かって、突出量を徐々に減少させている。具体的には、凸状部24,25は、開口部341側から中央側に向かって略円錐型に徐々に細くなっている。すなわち、凸状部24,25は、シリンダ340の内周方向の横幅を、開口部341側から中央側に向かって徐々に減少させ、同時にシリンダ340の半径方向の突出高を、開口部341側から中央側に向かって徐々に減少させている。
【００６０】
なお、凸状部344,345を、断面半円形に突出させたが、断面形状は半円形に限定されない。また、凸状部344,345を、２個形成しているが、これに限定されず、単数、或いは３個以上形成しても良い。さらに、２個の凸状部344,345の断面形状を異ならせたが、これに限定されず、同じ断面形状としても良いし、或いは図示しないが、凸状部と凹形部とを組み合わせて形成しても良い。また、凸状部344,345のシリンダ340の内周方向の位置や、シリンダ340の全長方向の位置や長さも、図面に示したものに限定されない。
（第７の実施の形態の動作の説明）
つぎに、上記したシリンダ340を備えたエアダンパー（図示せず）の動作について説明する。
【００６１】
まず、短縮したピストンロッド（図示せず）を引き出すと、シリンダ340の空気室343の空気が、ピストン（図示せず）をはさんで開口部341側（シリンダトップ側）から底壁342側（シリンダボトム側）に流動し、この際に制動力が働く。
すなわち、空気は、シリンダ340の内周と、ピストン（図示せず）の外周との隙間を通って流通する。
【００６２】
さらに、ピストンロッド（図示せず）が引き出されると、ピストン（図示せず）がシリンダ340の内周面から突出する凸状部344,345に達し、凸状部344,345に押されてピストン（図示せず）が弾性的に撓む。
このため、空気の流路面積が拡大され、ピストン（図示せず）の底壁342側（シリンダボトム側）の空気室343の空気の内圧がリリースされる。
【００６３】
その後、ピストンロッド（図示せず）が更に引き出されると、凸状部344,345の突出量が徐々に増加することから、制動力が徐々に低下する。
一方、引き出された状態のピストンロッド（図示せず）を押し込むと、ピストン（図示せず）は、シリンダ340の凸状部344,345に押圧された状態で、シリンダ340の底壁342側（シリンダボトム側）に向かって移動する。
【００６４】
このため、凸状部344,345にピストン（図示せず）を押圧して変形させることで、シール部31がシリンダ340の内周面に張り付くことが防止され、ピストンロッド（図示せず）の初期の移動をスムーズに行うことができる。
ピストンロッド（図示せず）を更に押し込むと、凸状部344,345の突出量が徐々に減少することから、制動力が徐々に増加する。
【００６５】
その後、凸状部344,345が途切れ、シリンダ340の空気室343の空気が、ピストン（図示せず）をはさんで底壁342側（シリンダボトム側）から開口部341側（シリンダトップ側）に流動し、この際に制動力が働く。
【符号の説明】
【００６６】
（第１の実施の形態）
10  エアダンパー          20  シリンダ
21  開口部                22  底壁
23  空気室
24  第１凸状部            25  第２凸状部
30  ピストン              31  シール部
40  ピストンロッド        50  ロック部材
60  シールキャップ
70  回転機構              80  カム部材
81  第１カム面            82  第２カム面
90  第１当接部
91  歯部                  92  斜面
100  第２当接部
（第２の実施の形態）
200  回転機構             210  カム部材
211  カム突起             212  カム溝
213  往復路               214  一方向路
220  当接部
（第３の実施の形態）
300  シリンダ
301  開口部               302  底壁
303  第１凹形部           304  第２凹形部
（第４の実施の形態）
310  シリンダ
311  開口部               312  底壁
313  凹形部
（第５の実施の形態）
320  シリンダ
321  開口部               322  底壁
323  凹形部
（第６の実施の形態）
330  シリンダ
331  開口部               332  底壁
333  凹形部
（第７の実施の形態）
340  シリンダ
341  開口部               342  底壁
343  空気室
344  第１凸状部           345  第２凸状部
【図１】
2011247366.tif 000003
【図２】
2011247366.tif 000004
【図３】
2011247366.tif 000005
【図４】
2011247366.tif 000006
【図５】
2011247366.tif 000007
【図６】
2011247366.tif 000008
【図７】
2011247366.tif 000009
【図８】
2011247366.tif 000010
【図９】
2011247366.tif 000011
【図１０】
2011247366.tif 000012
【図１１】
2011247366.tif 000013
【図１２】
2011247366.tif 000014
【図１３】
2011247366.tif 000015
【図１４】
2011247366.tif 000016
【図１５】
2011247366.tif 000017
【図１６】
2011247366.tif 000018
【図１７】
2011247366.tif 000019
【図１８】
2011247366.tif 000020
【図１９】
2011247366.tif 000021
【図２０】
2011247366.tif 000022
【図２１】
2011247366.tif 000023
【図２２】
2011247366.tif 000024
【図２３】
2011247366.tif 000025
【図２４】
2011247366.tif 000026
【図２５】
2011247366.tif 000027
【図２６】
2011247366.tif 000028
【図２７】
2011247366.tif 000029
【図２８】
2011247366.tif 000030
【図２９】
2011247366.tif 000031
【図３０】
2011247366.tif 000032
【図３１】
2011247366.tif 000033
【図３２】
2011247366.tif 000034
【図３３】
2011247366.tif 000035
【図３４】
2011247366.tif 000036
【図３５】
2011247366.tif 000037
【図３６】
2011247366.tif 000038
【図３７】
2011247366.tif 000039
【図３８】
2011247366.tif 000040
【図３９】
2011247366.tif 000041
【図４０】
2011247366.tif 000042